(57)【特許請求の範囲】
【請求項１】
アスファルト舗装廃材を加熱処理する廃材ドライヤの排気煙道に、排ガス中の臭気成分を燃焼分解して脱臭処理する脱臭炉と、該脱臭炉から導出される高温の排ガスを大気中へ放出する煙突とを備えると共に、該煙突の近傍には保温機能を有したオイルタンクを備え、該オイルタンクにはタンク内のホットオイルを前記煙突に沿わせるように供給して排ガスとの熱交換により昇温させながらオイルタンクへと循環させる循環配管と、所定温度に昇温させたオイルタンク内のホットオイルを加熱保温が有効なプラント設備に循環供給する供給配管とを連結したことを特徴とするアスファルトプラント。
【発明の詳細な説明】
【技術分野】
【０００１】
本発明は、道路舗装材であるアスファルト混合物を製造するアスファルトプラントに関する。
【背景技術】
【０００２】
アスファルト混合物を製造するアスファルトプラントには、アスファルト混合物の原料となる新規な骨材（以下「新材」という）をバーナからの熱風に晒して加熱処理する新材加熱用のドライヤ（以下「新材ドライヤ」という）や、道路工事等によって掘り起こされるアスファルト舗装廃材（以下「廃材」という）を同様に加熱処理する廃材加熱用のドライヤ（以下「廃材ドライヤ」という）が備えられており、前記新材ドライヤから導出される排ガスはサイクロンやバグフィルタ等の集塵機を経由させて集塵処理した後、煙突より大気中へと放出するようにしている一方、廃材ドライヤから導出される排ガスには臭気成分が含まれているため、集塵処理した後、この臭気成分を約８００℃程度の高温の熱風に１乃至２秒程度晒して燃焼分解する脱臭炉を経由させて脱臭処理した上で、煙突より大気中へと放出するようにしている。
【０００３】
このようにアスファルトプラントにおいては、新材ドライヤや廃材ドライヤにて新材や廃材を加熱処理する際や、脱臭炉にて排ガスを脱臭処理する際に多くの熱エネルギーを使用しているが、その一部は排ガスと共に大気中へと放出されており、省エネルギーの観点からその量をできるだけ減らすべく以前より様々な方法・手段を用いて熱回収が図られている。
【０００４】
例えば、特許文献１（特開２００９−１９９６号公報）では、新材ドライヤと廃材ドライヤ、及び脱臭炉とを備えて成るアスファルト合材製造設備において、前記脱臭炉から導出される高温の排ガスの一部を新材ドライヤに供給して熱回収を図るようにした装置が記載されている。また、特許文献２（特開２００９−１７９９３５号公報）では、脱臭炉から導出される高温の排ガスの一部を、上記文献と同様に新材ドライヤに供給すると共に、各ドライヤや脱臭炉のバーナへ燃焼用空気として供給して熱回収を図るようにした装置が記載されている。
【先行技術文献】
【特許文献】
【０００５】
【特許文献１】特開２００９−１９９６号公報
【特許文献２】特開２００９−１７９９３５号公報
【発明の概要】
【発明が解決しようとする課題】
【０００６】
このように、アスファルトプラントにおいては、以前より種々の方法・手段を用いて排ガスから熱回収を図って有効利用するようにしているが、それでもなお煙突からは比較的高温の排ガスが放出されており、特に脱臭炉を備えたアスファルトプラントの場合には約８００℃程度もの高温にて脱臭処理が行われるため、煙突から放出される排ガス温度も約３５０〜４００℃程度と比較的高温のものが放出されている。なお、上記特許文献に示されるように、その一部を新材ドライヤ等に供給することによってある程度は熱回収を図ることも可能であるが、排ガスの全量を利用できるわけではなく、余った残りの排ガスは高温のまま煙突より放出されることを余儀なくされる。
【０００７】
本発明は上記の点に鑑み、脱臭炉を有するプラントの煙突から放出される高温の排ガスより効果的に熱回収を図って有効利用可能としたアスファルトプラントを提供することを課題とする。
【課題を解決するための手段】
【０００８】
上記の課題を解決するために、本発明の請求項１記載のアスファルトプラントでは、アスファルト舗装廃材を加熱処理する廃材ドライヤの排気煙道に、排ガス中の臭気成分を燃焼分解して脱臭処理する脱臭炉と、該脱臭炉から導出される高温の排ガスを大気中へ放出する煙突とを備えると共に、該煙突の近傍には保温機能を有したオイルタンクを備え、該オイルタンクにはタンク内のホットオイルを前記煙突に沿わせるように供給して排ガスとの熱交換により昇温させながらオイルタンクへと循環させる循環配管と、所定温度に昇温させたオイルタンク内のホットオイルを加熱保温が有効なプラント設備に循環供給する供給配管とを連結したことを特徴としている。
【発明の効果】
【０００９】
本発明に係る請求項１記載のアスファルトプラントによれば、アスファルト舗装廃材を加熱処理する廃材ドライヤの排気煙道に、排ガス中の臭気成分を燃焼分解して脱臭処理する脱臭炉と、該脱臭炉から導出される高温の排ガスを大気中へ放出する煙突とを備えると共に、該煙突の近傍には保温機能を有したオイルタンクを備え、該オイルタンクにはタンク内のホットオイルを前記煙突に沿わせるように供給して排ガスとの熱交換により昇温させながらオイルタンクへと循環させる循環配管と、所定温度に昇温させたオイルタンク内のホットオイルを加熱保温が有効なプラント設備に循環供給する供給配管とを連結したので、脱臭炉から導出される高温の排ガス熱を煙突にて効率よく回収できると共に、回収熱によって昇温したホットオイルにて加熱保温が有効なアスファルトタンクやアスファルト混合物貯蔵用の合材サイロ等のプラント設備を効果的に保温できて有効利用することが可能となる。
【図面の簡単な説明】
【００１０】
【図１】本発明に係るアスファルトプラントの一実施例を示す概略説明図である。
【発明を実施するための形態】
【００１１】
本発明のアスファルトプラントにあっては、新材を加熱処理する新材ドライヤと、該新材ドライヤにて加熱した新材を送り出す垂直搬送装置と、振動篩、骨材貯蔵ビン、骨材計量槽、ミキサ等から成るプラント本体と、石粉貯蔵用の石粉貯蔵サイロやアスファルト貯蔵用のアスファルトタンク等の基本設備に加え、製造したアスファルト混合物を一時的に貯蔵する合材サイロ等を備えていると共に、前記新材ドライヤの近傍には廃材を加熱処理する廃材ドライヤを並設し、該廃材ドライヤにて加熱した廃材を貯蔵する廃材貯蔵ビン、廃材計量槽、該廃材計量槽から排出する廃材を前記プラント本体のミキサに投入させる供給手段等を備えている。
【００１２】
また、前記新材ドライヤや廃材ドライヤには排ガス導出用の排気煙道を連結していると共に、廃材ドライヤの排気煙道はその途中に脱臭処理用の脱臭炉を介在させて末端を煙突に連結している一方、新材ドライヤの排気煙道はその途中にバグフィルタ等の集塵装置を介在させて末端を前記廃材ドライヤの排気煙道に連結して合流させるようにしている。
【００１３】
また、前記煙突の近傍には断熱材で覆うなどして保温機能を施したオイルタンクを備え、該オイルタンクにはタンク内のホットオイルを煙突の外周壁に沿わせるように供給して排ガスとの熱交換により昇温させながらオイルタンクへと循環させる循環配管と、適宜温度に昇温させたタンク内のホットオイルを加熱保温が有効なプラント設備、例えば、アスファルトタンクや合材サイロ等に循環供給する供給配管とを連結している。
【００１４】
そして、上記アスファルトプラントにてアスファルト混合物を製造するときには、新材ドライヤ及び廃材ドライヤにて新材及び廃材をそれぞれ加熱処理し、新材ドライヤにて加熱した新材は、垂直搬送装置にてプラント本体に送り出し、振動篩にて篩い分けて下位の骨材貯蔵ビンに粒度別に貯蔵する一方、廃材ドライヤにて加熱した廃材は、廃材貯蔵ビンにて貯蔵する。そして、これら骨材貯蔵ビンと廃材貯蔵ビンから加熱新材及び加熱廃材を所定量ずつ計量してミキサに投入すると共に、アスファルトタンクや石粉貯蔵サイロより供給される所定量のアスファルトや石粉等と共に混合処理し、所望のアスファルト混合物を製造する。そして、製造したアスファルト混合物は、トラック等に積載して出荷したり、或いは合材サイロに投入して出荷に備えて一時的に貯蔵させる。
【００１５】
一方、廃材ドライヤから導出される排ガスは脱臭炉の炉内に導入させ、高温の熱風に晒して臭気成分を燃焼分解して脱臭処理すると共に、この脱臭炉から導出される高温の排ガスは、新材ドライヤから導出される排ガスと共に煙突より大気中へ放出させる。このとき、煙突近傍に備えたオイルタンク内のホットオイルを循環配管を介して煙突表面に沿わせるように循環させており、その間に循環配管内を流れるホットオイルと煙突から放出される高温の排ガスとで熱交換が行われ、やがてオイルタンク内のホットオイルは約２００〜３００℃程度の比較的高温なものに入れ替わっていく。
【００１６】
そして、こうして温めたオイルタンク内のホットオイルを加熱保温が有効なプラント設備に、例えばアスファルトタンクや合材サイロ等に供給配管を介して循環供給させ、アスファルトタンク内のアスファルトや合材サイロ内のアスファルト混合物等を所定温度に保温維持するのに有効利用する。なお、プラントの運転が無いときには煙突にて熱回収ができない分、タンク内のホットオイルの温度は徐々に低下していくものの、オイルタンク周囲は断熱材で覆うなどして保温機能を施しているため、比較的短時間であればタンク内のホットオイルの温度を一定に保てアスファルトタンクや合材サイロ等の保温用として十分に有効利用することができる。
【００１７】
このように、脱臭炉を有したプラントの煙突の外壁面に沿わせるように備えた循環配管にホットオイルを循環させて高温の排ガスから効率よく熱回収を図り、回収した熱エネルギーは高温のホットオイルとしてオイルタンク内に貯め置けると共に、この高温のホットオイルを加熱保温が有効なプラント設備である、例えばアスファルトタンクや合材サイロ等に供給することによって好適に有効利用することができる。
【実施例】
【００１８】
以下、本発明の一実施例を図面に基づいて説明する。
【００１９】
図中の１は本発明のアスファルトプラントであり、新材を加熱処理する新材ドライヤ２と、廃材を加熱処理する廃材ドライヤ３、及びこれら両ドライヤにて加熱した新材や廃材にアスファルトや石粉等を添加して混合するプラント本体４等を主体として構成している。
【００２０】
前記新材ドライヤ２は、内周部に多数の掻き上げ羽根（図示せず）を周設した円筒状のドラム５を機台６上に回転自在に傾斜支持し、駆動装置（図示せず）により所定の速度で回転させるようにしており、ドラム５一端部に備えたバーナ７よりドラム５内に熱風を送り込むと共に、ドラム５他端部の排気煙道８下流の排風機９によって燃焼ガスを吸引排気する一方、新材貯蔵サイロ１０ａ、１０ｂ、１０ｃから切り出される砂や砕石等の新材をベルトコンベヤ１１を介してドラム５内に供給し、ドラム５内を転動流下させる間に所定温度まで加熱する。
【００２１】
そして、この加熱した新材はドラム５一端側の排出部１２より排出して垂直搬送装置１３に投入し、該垂直搬送装置１３にてプラント本体４上部まで持ち上げて、排出シュート１４よりプラント本体４に供給する。また、前記排気煙道８の下流にはバグフィルタ等の集塵機１５を備え、排ガス中のダストを捕捉して清浄となった排ガスを、後述する廃材ドライヤ３の排気煙道２０の下流側に合流させて末端の煙突２９より大気中に放出するようにしている。
【００２２】
廃材ドライヤ３は、新材ドライヤ２と類似した構造であり、内周部に掻き上げ羽根（図示せず）を周設した円筒状のドラム１６を機台１７上に回転自在に傾斜支持し、ドラム１６一端部に備えたバーナ１８の火炎を燃焼室１９内に形成しながらドラム１６内に熱風を送り込むと共に、ドラム１６他端部の排気煙道２０下流の排風機２１によって燃焼ガスを吸引排気する一方、廃材貯蔵サイロ２２ａ、２２ｂから切り出される廃材をベルトコンベヤ２３を介してドラム１６内に供給し、ドラム１６内を転動流下させる間に所定温度まで加熱する。
【００２３】
そして、この加熱した廃材はドラム１６他端側に備えた廃材貯蔵ビン２４に一旦貯蔵させた後、廃材計量槽２５にて所定量計量し、供給手段である投入シュート２６にてプラント本体４のミキサ４３に供給する。また、排気煙道２０の下流にはサイクロン等の集塵機２７を備えていると共に、その下流には排ガス中の臭気成分であるアスファルト分を燃焼分解するための脱臭炉２８を備えており、これら集塵機２７や脱臭炉２８を通過して清浄となった排ガスを末端の煙突２９から大気中に放出する。
【００２４】
前記脱臭炉２８は、一端に炉内温度を所定値に維持するためのバーナ３０を備えており、炉内に導入する排ガスを高温雰囲気に晒し、排ガス中に含まれるアスファルト分を燃焼分解する。なお、脱臭炉２８はアスファルト分が完全に燃焼分解できるように、炉内温度を、例えば約８００℃程度の高温に維持するようにバーナ３０の燃焼量をコントロールすると共に、排ガスが炉内を通過するのに少なくとも１乃至２秒以上かかる程度の滞留室２８ａを備えていることが好ましい。
【００２５】
３１、３２は熱交換器であって、脱臭炉２８から導出される約８００℃程度の高温の排ガスが保有する熱エネルギーを有効利用するためのものであり、上流側の熱交換器３１では排気煙道２０から脱臭炉２８に導入される排ガスを昇温させる一方、下流側の熱交換器３２では燃焼用空気供給ファン３３から脱臭炉２８のバーナ３０へ供給する燃焼用空気の予熱を図っている。
【００２６】
プラント本体４は、新材ドライヤ２にて加熱されて垂直搬送装置１３より送り出されてくる新材を受け入れて篩い分ける振動篩３４、該振動篩３４にて篩い分けた新材を粒度別に貯蔵する骨材貯蔵ビン３５、該骨材貯蔵ビン３５に貯蔵した各粒度の新材を累積計量する骨材計量槽３６、また石粉貯蔵ビン３７からスクリューフィーダ３８にて供給される石粉を計量する石粉計量槽３９、電気ヒータ等を周設して加熱保温構造としたアスファルトタンク４０から供給ポンプ４１にて供給されるアスファルトを計量するアスファルト計量槽４２、及びこれら各計量槽にて計量した新材、石粉、アスファルトと、前記廃材計量槽２５にて計量して供給される廃材等を混合してアスファルト混合物を製造するミキサ４３等を備えている。
【００２７】
４４は製造したアスファルト混合物を一時的に貯蔵する合材サイロであって、外周を断熱材で被覆しかつ電気ヒータ等を周設して加熱保温構造としていると共に、上部に投入口４５を、下部に排出口４６を備えている。そして、ミキサ４３より排出されるアスファルト混合物は、ミキサ４３下位に備えた水平トロリー４７のバケット４８に一旦投入した後、スキップエレベータ４９のバケット５０に移し替えて合材サイロ４４上部まで持ち上げ、上部投入口４５より合材サイロ４４内に投入し、出荷に備えて加熱保温しながら貯蔵するようにしている。
【００２８】
前記煙突２９の近傍には、外周を断熱材等で覆うなどして保温機能を具備させたオイルタンク５１を備えていると共に、該オイルタンク５１にはタンク内のホットオイルを供給ポンプ５２にて送り出し、煙突２９の外壁面に蛇行させながら沿わせるように供給して煙突２９から放出される高温の排ガスと熱交換させることにより徐々に昇温させながらオイルタンク５１へと循環させる循環配管５３を連結している。このとき、プラント運転時の煙突２９からは約３５０〜４００℃程度の排ガスが放出されており、この排ガスと循環するホットオイルとを所定時間熱交換させることによりオイルタンク５１内のホットオイルを約２００〜３００℃程度の比較的高温のものに入れ替えられる構成としている。なお、本実施例においては、循環配管５３を煙突２９の外壁面に沿わせるように配置して排ガスと熱交換させるようにしているが、煙突２９内部に配置しても良い。
【００２９】
また、前記オイルタンク５１には、上記温度に昇温させたホットオイルを供給ポンプ５４、５５にて送り出し、加熱保温が有効なプラント設備である、例えば、アスファルトタンク４０や合材サイロ４４等に循環供給する供給配管５６、５７を連結している。前記供給配管５６、５７は、アスファルトタンク４０や合材サイロ４４の外壁面に蛇行させながら沿わせるように配管しており、この供給配管５６、５７にて高温のホットオイルを供給することにより、効果的にアスファルトタンク４０や合材サイロ４４を加熱保温可能としている。
【００３０】
そして、上記構成のアスファルトプラント１にてアスファルト混合物を製造するときには、新材ドライヤ２に新材貯蔵サイロ１０ａ〜１０ｃより切り出される砂や砕石等の新材を供給してバーナ７からの熱風に晒して所定温度に加熱し、加熱した新材は下流の垂直搬送装置１３を介してプラント本体４に送り出すと共に、プラント本体４では投入された新材を振動篩３４にて篩い分けて下位の骨材貯蔵ビン３５に粒度別に貯蔵する。一方、廃材ドライヤ３には廃材貯蔵サイロ２２ａ、２２ｂより切り出される廃材を供給してバーナ１８からの熱風に晒して所定温度に加熱し、加熱した廃材は廃材貯蔵ビン２４に貯蔵する。
【００３１】
そして、骨材貯蔵ビン３５より各粒度の新材を骨材計量槽３６に順次払い出して累積計量してミキサ４３に投入すると共に、廃材貯蔵ビン２４からも廃材を廃材計量槽２５に払い出して計量して前記ミキサ４３に投入し、更に石粉計量槽３９にて計量した石粉と、アスファルト計量槽４２にて計量したアスファルトとをミキサ４３に投入して所定時間混合し、所望のアスファルト混合物を製造する。そして、製造したアスファルト混合物はミキサ４３より排出してトラック等に積載して出荷したり、或いは、出荷まで余裕があるときには水平トロリー４７、スキップエレベータ４９等を介して合材サイロ４４に投入し、一時的に貯蔵させて出荷に備える。
【００３２】
また、新材ドライヤ２の排気煙道８から導出される排ガスは下流の集塵機１５にて集塵処理した後、廃材ドライヤ３の排気煙道２０の下流側に合流させる一方、廃材ドライヤ３の排気煙道２０から導出される排ガスは下流の脱臭炉２８に導入させ、約８００℃程度の高温の熱風に１乃至２秒程度晒して臭気成分を燃焼分解して脱臭処理すると共に、その際に発生する高温の排ガスは熱交換器３１、３２にてその一部を熱回収した後、前記新材ドライヤ２からの排ガスと共に末端の煙突２９より大気中に放出する。
【００３３】
このとき、煙突２９近傍に備えたオイルタンク５１からは循環配管５３を介して煙突２９の外壁面に沿わせるようにホットオイルが供給され、煙突２９より放出される約３５０〜４００℃程度の高温の排ガスと熱交換させて徐々に昇温させながらオイルタンク５１へと循環させており（図中の二点鎖線矢印Ａ参照）、タンク内のホットオイルは最終的に約２００〜３００℃程度の比較的高温のものに入れ替わっていく。そして、こうして温めたオイルタンク５１内のホットオイルを加熱保温が有効なプラント設備に、例えばアスファルトタンク４０や合材サイロ４４等に供給配管５６、５７を介して循環供給させ、タンク内のアスファルトやサイロ内のアスファルト混合物等を所定温度に保温維持するのに有効利用する。
【００３４】
なお、これらアスファルトタンク４０や合材サイロ４４では、内容物であるアスファルトやアスファルト混合物等を絶えず一定の温度（例えば約１７０℃程度）に保温維持する必要があるため基本的には既設の電気ヒータにて加熱保温しているが、上記のように、略プラント運転時に限られるもののタンクやサイロ外壁面に高温のホットオイルを供給することにより、電気ヒータによる保温を補助することができて電気使用量の低減が期待できる。
【００３５】
また、プラントの運転が無いときには煙突２９にて熱回収ができないため、オイルタンク５１内のホットオイルの温度の低下は避けられないものの、オイルタンク５１外周は断熱材で覆うなどして保温機能を施しているため、比較的短時間であればタンク内のホットオイルの温度を一定に保てアスファルトタンク４０や合材サイロ４４等の保温用として十分に有効利用できる。また、本実施例では、高温のオイルにて加熱保温させるプラント設備として、アスファルトタンク４０や合材サイロ４４を例としてあげたが、これらに限定されるものでは無く、例えば加熱骨材が供給されるプラント本体４の骨材貯蔵ビン３５等の外周にも同様に高温のホットオイルを供給して保温維持するようにしても良い。
【００３６】
このように、上記構成の装置によれば、脱臭炉２８を有したアスファルトプラント１の煙突２９から導出される高温の排ガスから効率よく熱回収が図れ、回収した熱エネルギーは高温のホットオイルとして保温構造のオイルタンク５１内に貯め置けると共に、この高温のホットオイルを加熱保温が有効なプラント設備である、アスファルトタンク４０や合材サイロ４４等に供給することによって好適に有効利用することが可能となって省エネルギー化が期待できる。
【符号の説明】
【００３７】
１…アスファルトプラント              ２…新材ドライヤ
３…廃材ドライヤ                      ４…プラント本体
２０…排気煙道                        ２８…脱臭炉
２９…煙突                            ３１、３２…熱交換器
４０…アスファルトタンク（プラント設備）
４４…合材サイロ（プラント設備）      ５１…オイルタンク
５３…循環配管                        ５６、５７…供給配管
【図１】
0005467595.tif 000002